(57)【要約】【課題】固体撮像装置の製造精度を高め、製品の信頼度を向上させること。【解決手段】本技術に係るセンサユニット１３Ｒは、イメージセンサ２１Ｒと、イメージセンサ２１Ｒを基板表面に取り付けたセンサ取付基板２２Ｒと、イメージセンサ２１Ｒを取り付けた基板表面に実装された接触センサ２７と、を備え、接触センサ２７はイメージセンサ２１Ｒの取付位置周辺に３つ実装されていてもよい。【選択図】図３
2018093317.tif 000002
【特許請求の範囲】
【請求項１】
固体撮像素子と、
該固体撮像素子を基板表面に取り付けた撮像素子取付基板と、
前記固体撮像素子を取り付けた前記基板表面に実装された接触センサと、
を備えた撮像素子ユニット。
【請求項２】
前記接触センサは、前記固体撮像素子の取付位置周辺に３つ実装されている請求項１に記載の撮像素子ユニット。
【請求項３】
前記撮像素子取付基板は矩形形状をなし、前記接触センサは前記撮像素子取付基板の四隅に備えられた請求項１に記載の撮像素子ユニット。
【請求項４】
前記接触センサは、圧電素子である請求項１ないし３のいずれか一項に記載の撮像素子ユニット。
【請求項５】
多板式のプリズムと、該プリズムに接合された請求項１ないし４のいずれか一項に記載の撮像素子ユニットと、を備えた固体撮像装置。
【請求項６】
撮像素子取付基板の基板表面に固体撮像素子を取り付け、前記固体撮像素子を取り付けた前記基板表面に接触センサを実装して、撮像素子ユニットを組み立てる工程と、
前記固体撮像素子の取付け位置を調整して多板式のプリズムに前記撮像素子ユニットを取り付ける工程と、
を含む固体撮像装置の製造方法。
【請求項７】
多板式のプリズムと、固体撮像素子と該固体撮像素子を基板表面に取り付けた撮像素子取付基板と、前記固体撮像素子を取り付けた前記基板表面に実装された接触センサと、を備えた固体撮像装置の前記プリズムから、前記撮像素子が剥がれているか否かを検知する工程を含む固体撮像素子の剥離検知方法。
【発明の詳細な説明】
【技術分野】
【０００１】
本技術は、撮像素子ユニットに関する。より詳しくは、固体撮像装置に備えられた多板式の波長分解プリズムに接続される固体撮像素子と固体撮像素子を取り付けた撮像素子取付基板とを有する撮像素子ユニットに関する。
【背景技術】
【０００２】
従来から、カラービデオカメラ又は種々の工業用光学機器において、多板式の波長分解プリズムを備えた固体撮像装置を製造する場合、プリズムユニットを前面板に取り付け、固体撮像素子（イメージセンサ）が取り付けられた撮像素子取付基板を、プリズムユニットのプリズム表面に取り付けることが行われている。ここで、固体撮像素子をプリズムユニットに取り付けるときには、波長分解プリズムの各チャンネルの結像位置と固体撮像素子の受光結像面を一致（フォーカス）させるのみではなく、各チャンネル毎の固体撮像素子受光面の傾き（片ボケ）調整及び各チャンネル相互間のレジストレーション（光軸に垂直面の平行及び回転）調整を考慮して決定されなければならない。
【０００３】
このように、プリズムに固体撮像素子を取り付ける手法としては、例えば、特許文献１に、色分解光学系の各光射出部のそれぞれに第１の取付部材を固定し、色分解光学系と同等の熱膨張係数の第２の取付部材に固体撮像素子を固定し、第１の取付部材に第２の取付部材を溶融金属によって接合することが開示されている。
【０００４】
また、例えば、特許文献２には、固体撮像素子と波長分解プリズムとが接合された固体撮像デバイスを備えた撮像装置である３板カメラにおける撮像ブロックにおいて、３つのプリズム部材が接着剤を介して接合された３波長分解プリズムに、それぞれの固体撮像素子が接着剤を介して接合されることが開示されている。
【先行技術文献】
【特許文献】
【０００５】
【特許文献１】特開２００７−１６６３４９号公報
【特許文献２】特開２００９−２７２９７７号公報
【発明の概要】
【発明が解決しようとする課題】
【０００６】
特許文献１または２のように、プリズムに固体撮像素子を固定してから、プリズムと固体撮像素子とを溶接または接着剤により接合する作業を行う場合、固体撮像素子を固定する工程において、固体撮像素子が適切な位置からずれてプリズムに固定され、そのまま接合されてしまうおそれがある。
【０００７】
そのため、各チャンネル毎の固体撮像素子受光面の片ボケや各チャンネル相互間のレジストレーションずれが生じ得るために、固体撮像装置を精度高く製造することができず、製品の信頼度も低下するという問題が考えられる。
【０００８】
本技術は、このような状況に鑑みてなされたものであり、固体撮像装置の製造精度を高め、製品の信頼度を向上させる撮像素子ユニットを提供することを目的とする。
【課題を解決するための手段】
【０００９】
上記課題を解決するため、本技術は、固体撮像素子と、固体撮像素子を基板表面に取り付けた撮像素子取付基板と、固体撮像素子を取り付けた基板表面に実装された接触センサと、を備えた撮像素子ユニットを提供する。なお、接触センサは、固体撮像素子の取付位置周辺に３つ実装されていてもよい。
【００１０】
また、本技術は、多板式のプリズムと、固体撮像素子と固体撮像素子を基板表面に取り付けた撮像素子取付基板と固体撮像素子を取り付けた基板表面に実装された接触センサとを有し、プリズムに接合された撮像素子ユニットと、を備えた固体撮像装置を提供する。
【００１１】
また、本技術は、撮像素子取付基板の表面に固体撮像素子を取り付け、表面の固体撮像素子を取り付けた基板表面に接触センサを実装して、撮像素子ユニットを組み立てる工程と、固体撮像素子の取付け位置を調整して多板式のプリズムに撮像素子ユニットを取り付ける工程と、を含む固体撮像装置の製造方法を提供する。
【発明の効果】
【００１２】
本技術によれば、固体撮像装置の製造精度を高め、製品の信頼度を向上させることができる。なお、ここに記載された効果は、必ずしも限定されるものではなく、本技術中に記載されたいずれかの効果であってもよい。
【図面の簡単な説明】
【００１３】
【図１】本技術の一実施形態に係るイメージセンサ用光学装置の外観斜視図である。
【図２】本技術の一実施形態に係るイメージセンサ用光学装置の側面図である。
【図３】本技術の一実施形態に係るセンサ取付基板の正面図である。
【図４】本技術の一実施形態に係るセンサ取付基板の側面図である。
【図５】本技術の一実施形態に係るセンサユニット取付装置の外観斜視図である。
【図６】本技術の一実施形態に係るイメージセンサ用光学装置の分解外観斜視図である。
【図７】本技術の一実施形態に係るイメージセンサ用光学装置の製造工程を示すフロー図である。
【図８】本技術の他の実施形態に係るセンサ取付基板の正面図である。
【図９】本技術の他の実施形態に係るセンサ取付基板の正面図である。
【発明を実施するための形態】
【００１４】
以下、本技術を実施するための好適な形態について、図面を参照しながら説明する。以下に説明する実施形態は、本技術の代表的な実施形態の一例を示したものであり、これにより本技術の範囲が狭く解釈されることはない。また、本技術は、下記の各実施形態及びその変形例のいずれかを互いに組み合わせることもできる。
【００１５】
＜実施形態１＞
本技術の一実施形態に係る撮像素子取付基板の一例であるセンサ取付基板を適用した固体撮像素子（イメージセンサ）用光学装置について説明する。
【００１６】
［全体構成］
図１は、本技術の一実施形態に係るセンサ取付基板を適用したイメージセンサ用光学装置１の外観斜視図である。図２は、本技術の一実施形態に係るセンサ取付基板を適用したイメージセンサ用光学装置の側面図である。本実施形態に係る光学装置１は、光学装置前面板１１と、プリズムユニット１２と、撮像素子ユニットの一例である３個のセンサユニット１３Ｒ、１３Ｇ、１３Ｂと、を備えている。
【００１７】
［光学装置前面板］
光学装置前面板１１は、プリズムユニット１２と接合し、固体撮像装置の一例であるカメラのレンズ等に取り付けられる。
【００１８】
［プリズムユニット］
プリズムユニット１２は、例えば、光学装置前面板１１とセンサユニット１３Ｒ、１３Ｇ、１３Ｂとの間に取り付けられ、レンズ（図示せず）から入射された光学情報を各センサユニット１３Ｒ、１３Ｇ、１３Ｂへ送信している。
【００１９】
プリズムユニット１２は、多板式の一例である３板式の波長分解プリズム１４と、波長分解プリズム１４の左右側面に固着する側板１５と、を備えている。側板１５には、波長分解プリズム１４の光射出面と同一面にセンサユニット１３Ｒ、１３Ｇ、１３Ｂを接合するための複数の突出部２５が設けられている。また、側板１５の素材としては、例えば、波長分解プリズム１４の材料と近似の熱膨張係数を有する金属板又はセンサユニット１３Ｒ、１３Ｇ、１３Ｂとの接合面にメタライズ処理したセラミック板等が用いられている。
【００２０】
［センサユニット］
センサユニット１３Ｒは、イメージセンサ２１Ｒと、センサ取付基板２２Ｒと、コネクタ２３Ｒと、がこの順序で取り付けられて構成されている。同様に、センサユニット１３Ｇ、１３Ｂは、それぞれ、イメージセンサ２１Ｇ、２１Ｂと、センサ取付基板２２Ｇ、２２Ｂと、コネクタ２３Ｇ、２３Ｂと、がこの順序で取り付けられて構成されている。なお、イメージセンサ２１Ｒ、２１Ｇ、２１Ｂは、例えば、ＣＭＯＳイメージセンサまたはＣＣＤイメージセンサのいずれであってもよい。
【００２１】
センサユニット１３Ｒのセンサ取付基板２２Ｒの表面には、側板１５に設けられた複数の突出部２５が接合されている。センサ取付基板２２Ｒの表面に取り付けられたイメージセンサ２１Ｒの表面と波長分解プリズム１４の光射出面との間には、遮光および埃等の侵入防止のための弾力材で形成されたマスク２４Ｒが取り付けられている。
【００２２】
同様に、センサユニット１３Ｇ、１３Ｂのセンサ取付基板２２Ｇ、２２Ｂの表面には、それぞれ側板１５に設けられた複数の突出部２５が接合されている。センサ取付基板２２Ｇ、２２Ｂの表面に取り付けられたイメージセンサ２１Ｇ、２１Ｂの表面と波長分解プリズム１４の光射出面との間には、それぞれ遮光および埃等の侵入防止のための弾力材で形成されたマスク２４Ｇ、２４Ｂが取り付けられている。
【００２３】
さらに、センサユニット１３Ｒのセンサ取付基板２２Ｒのイメージセンサ２１Ｒを取り付けた表面には、突出部２５と接合する部分に接触センサ２７が実装されている。同様に、センサユニット１３Ｇ、１３Ｂのセンサ取付基板２２Ｇ、２２Ｂのイメージセンサ２１Ｇ、２１Ｂを取り付けた表面にも、それぞれ突出部２５と接合する部分に接触センサ２７が実装されている。
【００２４】
［センサ取付基板］
図３は、実施形態１のセンサ取付基板を示す正面図である。図４は、実施形態１のセンサ取付基板を示す側面図である。図３および図４を用いて、本実施形態に係るセンサ取付基板について説明する。本実施形態では、センサ取付基板の一例として、センサユニット１３Ｒのセンサ取付基板２２Ｒを用いて説明する。
【００２５】
センサユニット１３Ｒのセンサ取付基板２２Ｒは、平面形状が矩形形状をなし、イメージセンサ２１Ｒを実装した上面側（波長分解プリズム１４の突出部２５と接合する側）から見て左側の短辺中央にＶ字形状の凹部３１が１つ形成され、イメージセンサ２１Ｒを実装した上面側から見て右側の短辺の上下の両隅にＶ字形状の凹部３２ａ、３２ｂが２つ形成されている。
【００２６】
本実施形態のセンサ取付基板２２Ｒは、上面側から見て左側の短辺中央にＶ字形状の凹部３１が１つ形成され、上面側から見て右側の短辺の上下の両隅にＶ字形状の凹部３２ａ、３２ｂが２つ形成されているが、本技術のセンサ取付基板はこれに限らず、センサ取付基板２２Ｒの凹部３１と凹部３２ａ、３２ｂとの位置が左右逆であってもよい。また、本技術のセンサ取付基板は、対向する辺に非対称の凹部が形成されていれば、凹部の個数は３つに限らず、４つまたは５つ以上であってもよいし、凹部の位置は短辺中央と短辺の上下の両隅に限られない。ただし、基板上に配線等を形成するスペースを広くとることができるように、凹部の位置は短辺の両隅に近い位置に形成されていることが望ましい。
【００２７】
本実施形態のセンサ取付基板２２Ｒに形成されたＶ字形状の凹部３１、３２ａ、３２ｂは、センサ取付基板２２Ｒをプリズムユニット１２に接合する際に、取付装置のアーム等で把持するために用いられる。このように、センサ取付基板２２Ｒの対向する辺に左右非対称のＶ字形状の凹部３１と凹部３２ａ、３２ｂとを形成することにより、イメージセンサ用光学装置１の製造時に、センサ取付基板２２Ｒの上下方向を間違えて逆方向にアーム等で把持することを防止することができる。このため、イメージセンサ２１Ｒを適切な方向でプリズムユニット１２に接合することができる。
【００２８】
［接触センサ］
センサユニット１３Ｒのセンサ取付基板２２Ｒには、イメージセンサ２１Ｒを取り付けた表面に、例えば、平面形状が矩形形状のイメージセンサ２１Ｒの四隅それぞれの周辺に接触センサ２７が実装されている。本実施形態の接触センサ２７は、一例として、２枚の金属板の間に圧電体を挟んだ圧電素子を使用している。金属板は、銅板等の電極の役割を持つものであればどのようなものであってもよい。また、圧電体は、水晶やセラミック等の圧電効果を示す物質であれば、材質は限定されない。なお、本技術に係る接触センサの個数は、４つに限られず、センサ取付基板の表面に少なくとも１つ実装されていればよい。また、本技術に係る接触センサの実装位置は、プリズムユニットに接触する位置に実装されていればよく、センサ取付基板の表面に取り付けられたイメージセンサの四隅それぞれの周辺に限られない。
【００２９】
本実施形態のセンサユニット１３Ｒは、センサ取付基板２２Ｒのプリズムユニット１２と接合する表面に接触センサ２７が実装されていることにより、イメージセンサ用光学装置１の製造時に、プリズムユニット１２とセンサユニット１３Ｒとの過度の接触、接触不良、取り付け位置のズレ等を検知して、これらの不備の原因を追究することができる。また、本実施形態のセンサユニット１３Ｒは、接触センサ２７が実装されていることにより、イメージセンサ用光学装置１の製造後に、振動や急激な温度変化等によってセンサユニット１３Ｒがプリズムユニット１２から剥離したことを検知することができる。したがって、本技術により、イメージセンサ用光学装置１の製造精度を高め、製品の信頼度を向上させることができる。
【００３０】
［センサユニット取付装置］
図５は、本実施形態のセンサユニットをプリズムユニットに接合するセンサユニット取付装置の外観斜視図である。図５を用いて、本実施形態に係るセンサユニット取付装置について説明する。
【００３１】
本実施形態に係るセンサユニット取付装置５１は、本体５２と、右側アーム５３と、左側アーム５４と、を備えている。右側アーム５３の先端には、センサ取付基板２２Ｒに形成された凹部３１に挿入可能な円柱形状のアーム先端部５５が形成されている。左側アーム５４の先端には、センサ取付基板２２Ｒに形成された凹部３２ａ、３２ｂに挿入可能な円柱形状の２つのアーム先端部５６ａ、５６ｂが形成されている。アーム先端部５５およびアーム先端部５６ａ、５６ｂによりセンサ取付基板２２Ｒを把持し、センサユニット１３Ｒをプリズムユニット１２に接合する。
【００３２】
本実施形態では、センサユニット取付装置５１に対して左右方向をＸ軸方向、上下方向をＹ軸方向、前後方向をＺ軸方向とし、Ｘ軸、Ｙ軸およびＺ軸周りの回転角をそれぞれθＸ、θＹおよびθＺとする。センサユニット取付装置５１は、Ｘ軸方向に右側アーム５３および左側アーム５４を稼働させてセンサ取付基板２２Ｒを把持し、Ｚ軸方向に本体５２を移動させてセンサユニット１３Ｒをプリズムユニット１２に近づける。そして、Ｘ軸、Ｙ軸、Ｚ軸、θＸ方向、θＹ方向およびθＺ方向の６軸方向の位置を調整して精度よく位置決めし、センサユニット１３Ｒをプリズムユニット１２に取り付ける。
【００３３】
［イメージセンサ用光学装置の製造手順］
図６は、本実施形態に係るイメージセンサ用光学装置の分解外観斜視図である。図６では、一例として、光学装置前面板１１と、プリズムユニット１２と、センサユニット１３Ｒと、を組み立てる製造工程を表している。図７は、本実施形態に係るイメージセンサ用光学装置の製造工程を示すフロー図である。図５ないし図７を用いて、イメージセンサ用光学装置の製造手順の一例について説明する。
【００３４】
ステップＳ７０１において、センサユニット１３Ｒを組み立てる。具体的には、まず、センサ取付基板２２Ｒの波長分解プリズム１４の突出部２５と接合する側から見て左側の短辺中央にＶ字形状の凹部３１を１つ形成し、波長分解プリズム１４の突出部２５と接合する側から見て右側の短辺の上下の両隅にＶ字形状の凹部３２ａ、３２ｂを２つ形成する。
【００３５】
次に、凹部３１および凹部３２ａ、３２ｂを形成したセンサ取付基板２２Ｒの波長分解プリズム１４との接合面にイメージセンサ２１Ｒを半田等により取り付け、イメージセンサ２１Ｒの表面にマスク２４Ｒを取り付ける。そして、センサ取付基板２２Ｒのイメージセンサ２１Ｒを取り付けた面の反対の面にコネクタ２３Ｒを取り付ける。同様に、センサユニット１３Ｇ、１３Ｂも組み立てる。以上の工程により、センサユニット１３Ｒ、１３Ｇ、１３Ｂを組み立てると、ステップＳ７０２に進む。
【００３６】
ステップＳ７０２において、プリズムユニット１２を組み立てる。具体的には、例えば、３板式の波長分解プリズム１４の左右側面にそれぞれ側板１５を固着する。これにより、プリズムユニット１２を組み立てると、ステップＳ７０３に進む。なお、ステップＳ７０１の工程とステップＳ７０２の工程とは、手順が逆であってもよく、どちらのステップから作業を行ってもよい。
【００３７】
ステップＳ７０３において、ステップＳ７０２で組み立てたプリズムユニット１２を光学装置前面板１１に取り付ける。
【００３８】
ステップＳ７０４において、センサユニット１３Ｒ、１３Ｇ、１３Ｂの取付け位置を調整（粗調整および微調整）して、プリズムユニット１２に固定する。
【００３９】
一例として、図５に示すように、センサ取付基板２２Ｒの凹部３１および凹部３２ａ、３２ｂにセンサユニット取付装置５１のアーム先端部５５およびアーム先端部５６ａ、５６ｂを挿入してセンサ取付基板２２Ｒを把持する。同時に、別の２つのセンサユニット取付装置５１で、それぞれセンサ取付基板２２Ｇおよび２２Ｂを把持する。
【００４０】
これにより、センサユニット１３Ｒ、１３Ｇ、１３Ｂの取付け位置を調整して、センサユニット１３Ｒ、１３Ｇ、１３Ｂをプリズムユニット１２に固定すると、ステップＳ７０５に進む。
【００４１】
ステップＳ７０５において、プリズムユニット１２にセンサユニット１３Ｒ、１３Ｇ、１３Ｂを取り付ける。センサユニット１３Ｒ、１３Ｇ、１３Ｂをプリズムユニット１２に取り付けると、ステップＳ７０６に進む。
【００４２】
ステップＳ７０６において、プリズムユニット１２にセンサユニット１３Ｒ、１３Ｇ、１３Ｂが適切に取り付けられたか否かを判定する。適切に取り付けられていて「ＹＥＳ」の場合は、上記製造工程を終了し、完成したイメージセンサ用光学装置１をカメラ等の固体撮像装置に取り付ける。プリズムユニット１２にセンサユニット１３Ｒ、１３Ｇ、１３Ｂが適切に取り付けられていなくて「ＮＯ」の場合、ステップＳ７０４に戻り、再度センサユニット１３Ｒ、１３Ｇ、１３Ｂの取付け位置を調整して、センサユニット１３Ｒ、１３Ｇ、１３Ｂをプリズムユニット１２に固定する。
【００４３】
［接触センサによる位置ズレ等の検知］
センサ取付基板２２Ｒに接触センサ２７を１つだけ実装する場合、少なくともＸ軸、Ｙ軸、Ｚ軸の方向の不備等を検知することができる。
【００４４】
一例として、プリズムユニット１２とセンサ取付基板２２Ｒとが必要以上に接触したときに、プリズムユニット１２に接触するように接触センサ２７を実装する。そして、センサユニット取付装置５１を前進させ過ぎて（Ｚ軸方向の位置がズレて）接触センサ２７がプリズムユニット１２と接触したときに、接触センサ２７に圧力が加わることで生じた歪みに応じて、電圧が発生する。この発生した電圧による電気信号を、例えば、表示部で受信して表示画面に「過度の接触」の文字を表示させることにより不備を検知することができる。
【００４５】
また、別の例として、プリズムユニット１２とセンサ取付基板２２Ｒとが適切な位置で接触したときに、プリズムユニット１２に接触するように接触センサ２７を実装する。そして、センサ取付基板２２Ｒをプリズムユニット１２に適切に固定して接着剤により接着させる。しかしながら、接着剤が不均一に硬化した等の理由により、接触センサ２７がプリズムユニット１２から離れ（Ｚ軸方向の位置がズレて）、押し込まれていた接触センサ２７が伸びることで生じた歪みに応じて、電圧が発生する。この発生した電圧による電気信号を、例えば、表示部で受信して表示画面に「接触不良」の文字を表示させることにより不備を検知することができる。
【００４６】
さらに、別の例として、プリズムユニット１２とセンサ取付基板２２Ｒとが所定の許容範囲以上にズレた位置で接触したときに、プリズムユニット１２に接触する位置に接触センサ２７を実装する。そして、センサユニット取付装置５１を上下左右に移動させ過ぎて（Ｘ軸および／またはＹ軸方向の位置がズレて）接触センサ２７がプリズムユニット１２と接触したときに、接触センサ２７に圧力が加わることで生じた歪みに応じて、電圧が発生する。この発生した電圧による電気信号を、例えば、表示部で受信して表示画面に「不適切な位置に接触」の文字を表示させることにより不備を検知することができる。
【００４７】
一方、センサ取付基板２２Ｒに接触センサ２７を複数実装する場合、Ｘ軸、Ｙ軸、Ｚ軸の方向に加えて、回転角θｘ、θｙ、θｚの方向の不備等も検知することができる。
【００４８】
一例として、接触センサ２７をイメージセンサ２１Ｒの左右両側縁部の周辺（図５に示すＸ軸方向）にそれぞれ１つずつ実装した場合は、左右どちらかの接触センサ２７の接触不良を検知することにより、回転角θｙ方向の位置ズレも検知することができる。また、別の例として、接触センサ２７をイメージセンサ２１Ｒの左右側縁部のいずれかの側縁部の周辺（図５に示すＹ軸方向）に２つ実装した場合は、上下どちらかの接触センサ２７の接触不良を検知することにより、回転角θｘ方向の位置ズレも検知することができる。
【００４９】
さらに別の例としてセンサ取付基板２２Ｒに接触センサ２７を３つ以上実装する場合には、例えば、図５に示す４つの接触センサ２７のうち、少なくとも３つを実装し、いずれかの接触センサ２７の接触不良を検知することにより、回転角θｘ、θｙ、θｚの方向の位置ズレも検知することができる。なお、センサ取付基板２２Ｒに接触センサ２７を４つ以上実装する場合には、上記具体例と比べて、より精度高くＸ軸、Ｙ軸、Ｚ軸の方向に加えて、回転角θｘ、θｙ、θｚの方向の不備等を検知することができる。
【００５０】
上述の通り、本実施形態のセンサユニット１３Ｒは、センサ取付基板２２Ｒのプリズムユニット１２と接合する表面に接触センサ２７が実装されていることにより、イメージセンサ用光学装置１の製造時に、プリズムユニット１２とセンサユニット１３Ｒとの過度の接触、接触不良、取り付け位置のズレ等を検知して、これらの不備の原因を追究することができる。したがって、本技術により、センサユニット取付装置の動作を低減させてレジズレ等の粗調整の作業効率を向上させつつ、イメージセンサ用光学装置１の製造精度を高め、製品の信頼度を向上させることができる。
【００５１】
［イメージセンサの剥離検知方法］
本実施形態のセンサユニット１３Ｒ、１３Ｇ、１３Ｂは、イメージセンサ用光学装置１を製造し、製造したイメージセンサ用光学装置１をデジタルカメラ等の固体撮像装置に組み込んで完成させた後に、プリズムユニット１２からイメージセンサ２１Ｒ、２１Ｇ、２１Ｂが剥がれていないかどうかを検知する場合にも適用できる。
【００５２】
一例として、センサユニット１３Ｒ、１３Ｇ、１３Ｂを有するデジタルカメラの電源をオンにした時に、接触センサ２７に電圧を印加して、接触センサ２７における電圧を測定する。測定した電圧が所定の閾値以下の場合は、例えば、表示部で測定した電圧による電気信号を受信して、コントロール側のＰＣにエラー情報のメッセージを送り、「接触不良」のエラー識別番号をエラー情報に付与する。そして、エラー情報に付与されたエラー識別番号をＰＣの表示画面で認識することで剥離していることを検知することができる。このように、例えば、電源スイッチと接触センサ２７とをリンクさせることにより、イメージセンサ２１Ｒ、２１Ｇ、２１Ｂの剥離状況を検知することができる。
【００５３】
上述の通り、本実施形態のセンサユニット１３Ｒは、接触センサ２７が実装されていることにより、イメージセンサ用光学装置１の製造後や固体撮像装置の完成後に、振動や急激な温度変化等によってイメージセンサ２１Ｒ、２１Ｇ、２１Ｂがプリズムユニット１２から剥離しているかどうかを検知することができる。したがって、本技術により、イメージセンサ用光学装置１の製造精度を高め、製品の信頼度を向上させることができる。
【００５４】
＜実施形態２＞
図８は、実施形態２のセンサ取付基板を示す正面図である。図８を用いて、本実施形態に係るセンサ取付基板について説明する。本実施形態では、センサ取付基板の一例として、実施形態１のセンサユニット１３Ｒのセンサ取付基板２２Ｒに対応する、センサユニット８０Ｒのセンサ取付基板８２Ｒを用いて説明する。
【００５５】
センサユニット８０Ｒのセンサ取付基板８２Ｒは、平面形状が矩形形状をなし、イメージセンサ８１Ｒを取り付けた上面側（波長分解プリズム１４の突出部２５と接合する側）から見て左側の短辺の上下の両隅にＵ字形状の凹部８３ａ、８３ｂが２つ形成され、イメージセンサ８１Ｒを取り付けた上面側から見て右側の短辺の上下の両隅にＶ字形状の凹部８４ａ、８４ｂが２つ形成されている。
【００５６】
センサユニット８０Ｒのセンサ取付基板８２Ｒには、イメージセンサ８１Ｒを取り付けた表面に、例えば、平面形状が矩形形状のイメージセンサ８１Ｒの四隅それぞれの周辺に接触センサ２７が実装されている。この構成により、本実施形態のセンサユニット８０Ｒは、実施形態１のセンサユニット１３Ｒと同様の効果を有することができる。
【００５７】
本実施形態のセンサ取付基板８２Ｒは、上面側から見て左側の短辺の上下の両隅にＵ字形状の凹部８３ａ、８３ｂが２つ形成され、上面側から見て右側の短辺の上下の両隅にＶ字形状の凹部８４ａ、８４ｂが２つ形成されているが、本技術のセンサ取付基板はこれに限らず、センサ取付基板８２Ｒの凹部８３ａ、８３ｂと凹部８４ａ、８４ｂとの位置が左右逆であってもよい。また、本技術のセンサ取付基板は、対向する辺に非対称の凹部が形成されていれば、凹部の個数は３つに限らず、４つまたは５つ以上であってもよいし、凹部の位置は上下の両隅に限られない。ただし、基板上に配線等を形成するスペースを広くとることができるように、凹部の位置は短辺の両隅に近い位置に形成されていることが望ましい。さらに、凹部の形状は、Ｕ字形状およびＶ字形状に限られない。
【００５８】
本実施形態のセンサ取付基板８２Ｒに形成されたＵ字形状の凹部８３ａ、８３ｂおよびＶ字形状の凹部８４ａ、８４ｂは、センサ取付基板８２Ｒをプリズムユニット１２に接合する際に、取付装置のアーム等で把持するために用いられる。このように、センサ取付基板８２Ｒの対向する辺に左右非対称の凹部８３ａ、８３ｂおよび凹部８４ａ、８４ｂを形成することにより、イメージセンサ用光学装置１の製造時に、センサ取付基板８２Ｒの上下方向を間違えて逆方向にアーム等で把持することを防止することができる。このため、イメージセンサ８１Ｒを適切な方向でプリズムユニット１２に接合することができる。
【００５９】
また、本実施形態のセンサ取付基板８２Ｒは、短辺の上下の４四隅に凹部８３ａ、８３ｂおよび凹部８４ａ、８４ｂが形成されているため、実施形態１のセンサ取付基板２２Ｒに比べて、基板上に配線等を形成するスペースをより広くとることができる。さらに、本実施形態のセンサ取付基板８２Ｒは、凹部８３ａ、８３ｂがＵ字形状であることから、センサ取付基板８２Ｒを把持するアーム先端部が凹部の上下位置から多少ずれていても、アーム先端部を凹部８３ａ、８３ｂにスムーズに挿入することができる。
【００６０】
＜実施形態３＞
図９は、実施形態３のセンサ取付基板を示す正面図である。図９を用いて、本実施形態に係るセンサ取付基板について説明する。本実施形態では、センサ取付基板の一例として、実施形態１のセンサユニット１３Ｒのセンサ取付基板２２Ｒに対応する、センサユニット９０Ｒのセンサ取付基板９２Ｒを用いて説明する。
【００６１】
センサユニット９０Ｒのセンサ取付基板９２Ｒは、平面形状が矩形形状をなし、イメージセンサ９１Ｒを取り付けた上面側（波長分解プリズム１４の突出部２５と接合する側）から見て左側の短辺中央にＶ字形状の凹部９３が形成され、イメージセンサ８１Ｒを取り付けた上面側から見て右側の短辺中央にＶ字形状の凹部９４が形成されている。さらに、センサ取付基板９２Ｒは、イメージセンサ９１Ｒを取り付けた上面側（波長分解プリズム１４の突出部２５と接合する側）から見て上側の長辺中央にＶ字形状の凹部９５が形成されている。
【００６２】
センサユニット９０Ｒのセンサ取付基板９２Ｒには、イメージセンサ９１Ｒを取り付けた表面に、例えば、平面形状が矩形形状のイメージセンサ９１Ｒの四隅の頂点付近に接触センサ２７が実装されている。この構成により、本実施形態のセンサユニット９０Ｒは、実施形態１のセンサユニット１３Ｒと同様の効果を有することができる。
【００６３】
本実施形態のセンサ取付基板９２Ｒは、上面側から見て左右の短辺中央にＶ字形状の凹部９３、９４が１つずつ形成され、上面側から見て上側の長辺中央にＶ字形状の凹部９５が１つ形成されているが、本技術のセンサ取付基板はこれに限らず、凹部９３または凹部９４のいずれかのみが形成されているものであってもよく、凹部９５が上面側から見て下側の長辺中央に形成されていてもよい。また、本技術のセンサ取付基板は、対向する辺に非対称の凹部が形成されていれば、凹部の個数は３つに限らず、４つまたは５つ以上であってもよいし、凹部の位置はセンサ取付基板９２Ｒの短辺および長辺の中央に限られない。さらに、凹部の形状は、Ｖ字形状に限られず、Ｕ字形状等であってもよい。
【００６４】
本実施形態のセンサ取付基板９２Ｒに形成されたＶ字形状の凹部９３、９４および９５は、センサ取付基板９２Ｒをプリズムユニット１２に接合する際に、取付装置のアーム等で把持するために用いられる。このように、センサ取付基板９２Ｒの対向する長辺の一方に上下非対称の凹部９５を形成することにより、イメージセンサ用光学装置１の製造時に、センサ取付基板９２Ｒの上下方向を間違えて逆方向にアーム等で把持することを防止することができる。このため、イメージセンサ９１Ｒを適切な方向でプリズムユニット１２に接合することができる。
【００６５】
また、本実施形態のセンサ取付基板９２Ｒは、長辺の一方のみに凹部９５が形成されているため、上記実施形態１および２のセンサ取付基板２２Ｒおよび８２Ｒに比べて、基板の左右の形状を非対称にしなくてもよく、回路の配線等に応じて自由な形状にすることができる。
【符号の説明】
【００６６】
１  イメージセンサ用光学装置
１１  光学装置用前面板
１２  プリズムユニット
１３Ｒ、１３Ｇ、１３Ｂ、８０Ｒ、９０Ｒ  センサユニット
１４  プリズム
１５  側板
２１Ｒ、２１Ｇ、２１Ｂ、８１Ｒ、９１Ｒ  イメージセンサ
２２Ｒ、２２Ｇ、２２Ｂ、８２Ｒ、９２Ｒ  センサ取付基板
２３Ｒ、２３Ｇ、２３Ｂ  コネクタ
２４Ｒ、２４Ｇ、２４Ｂ  マスク
２５  突出部
２７  接触センサ
３１、３２ａ、３２ｂ、８４ａ、８４ｂ、９３〜９５  Ｖ字形状の凹部
５１  センサユニット取付装置
５２  本体
５３、５４  アーム
５５、５６ａ、５６ｂ  アーム先端部
８３ａ、８３ｂ  Ｕ字形状の凹部
【図１】
2018093317.tif 000003
【図２】
2018093317.tif 000004
【図３】
2018093317.tif 000005
【図４】
2018093317.tif 000006
【図５】
2018093317.tif 000007
【図６】
2018093317.tif 000008
【図７】
2018093317.tif 000009
【図８】
2018093317.tif 000010
【図９】
2018093317.tif 000011